(57)【要約】【課題】スタンバイ後の消費電流を削減すること。【解決手段】ＤＡＰ１は、制御ポートの電位がローである場合に、シャットダウンし、制御ポートの電位がハイである場合に動作する、音声信号を増幅する増幅回路３と、増幅回路３に電源電圧を供給するＤＣ／ＤＣコンバーター５と、ＳｏＣ２と、コレクタに、抵抗Ｒ１を介して、電源電圧が供給され、ベースが、ＳｏＣ２の出力ポートに接続され、エミッタが、基準電位に接続された、バイポーラトランジスタＱ１と、を備える。増幅回路３の制御ポートは、コレクタと抵抗Ｒ１との間に接続されている。ＳｏＣ２は、スタンバイ状態とする場合、出力ポートの電位をハイとした後、ＤＣ／ＤＣコンバーター５をシャットダウンし、出力ポートの電位をローとする。【選択図】図２
2018113629.tif 000002
【特許請求の範囲】
【請求項１】
制御ポートの電位がローである場合に、シャットダウンし、前記制御ポートの電位がハイである場合に動作する、音声信号を増幅する増幅部と、
増幅部に電源電圧を供給する電源部と、
制御部と、
コレクタに、抵抗を介して、電源電圧が供給され、
ベースが、前記制御部の出力ポートに接続され、
エミッタが、基準電位に接続された、バイポーラトランジスタと、を備え、
前記増幅部の前記制御ポートは、前記コレクタと前記抵抗との間に接続され、
前記制御部は、
スタンバイ状態とする場合、前記出力ポートの電位をハイとした後、前記電源部をシャットダウンし、前記出力ポートの電位をローとすることを特徴とする音楽再生装置。
【請求項２】
プラグが挿入されるジャックをさらに備え、
前記制御部は、前記ジャックからの前記プラグの抜去を検出した場合、スタンバイ状態とするため、前記出力ポートの電位をハイとした後、前記電源部をシャットダウンし、前記出力ポートの電位をローとすることを特徴とする請求項１に記載の音楽再生装置。
【請求項３】
前記制御部は、スタンバイ状態から復帰する場合、前記出力ポートの電位をハイとした後、前記電源部を起動し、前記出力ポートの電位をローとすることを特徴とする請求項１又は２に記載の音楽再生装置。
【請求項４】
第１制御ポートの電位がローである場合に、シャットダウンし、前記第１制御ポートの電位がハイである場合に、動作する、左右２チャンネルの音声信号を増幅する第１増幅部と、
第２制御ポートの電位がローである場合に、シャットダウンし、前記第２制御ポートの電位がハイである場合に、動作する、左右２チャンネルの反転音声信号を増幅する第２増幅部と、
前記第１増幅部、及び、前記第２増幅部に電源電圧を供給する電源部と、
コレクタに、第１抵抗を介して、電源電圧が供給され、
ベースが、前記制御部の第１出力ポートに接続され、
エミッタが、基準電位に接続された、第１バイポーラトランジスタと、
コレクタに、第２抵抗を介して、電源電圧が供給され、
ベースが、前記制御部の第２出力ポートに接続され、
エミッタが、基準電位に接続された、第２バイポーラトランジスタと、を備え、
前記第１制御ポートは、前記第１バイポーラトランジスタの前記コレクタと前記第１抵抗との間に接続され、
前記第２制御ポートは、前記第２バイポーラトランジスタの前記コレクタと前記第２抵抗との間に接続され、
前記制御部は、
アンバランス出力の場合、前記第１出力ポートをローとし、前記第２出力ポートの電位をハイとし、
アンバランス出力からスタンバイ状態とする場合、前記第１出力ポートをハイとした後、前記電源部をシャットダウンし、前記第１出力ポート、及び、前記第２出力ポートの電位をローとすることを特徴とする音楽再生装置。
【請求項５】
アンバランス用のプラグが挿入されるアンバランス用のジャックをさらに備え、
前記制御部は、前記アンバランス用のジャックからの前記アンバランス用のプラグの抜去を検出した場合、スタンバイ状態とするため、前記第１出力ポートの電位をハイとした後、前記電源部をシャットダウンし、前記第１出力ポート、及び、前記第２出力ポートの電位をローとすることを特徴とする請求項４に記載の音楽再生装置。
【請求項６】
前記制御部は、
バランス出力の場合、前記第１出力ポート、及び、前記第２出力ポートの電位をローとし、
バランス出力からスタンバイ状態とする場合、前記第１出力ポート、及び、前記第２出力ポートの電位をハイとした後、前記電源部をシャットダウンし、前記第１出力ポート、及び、前記第２出力ポートの電位をローとすることを特徴とする請求項４又は５に記載の音楽再生装置。
【請求項７】
バランス用のプラグが挿入されるバランス用のジャックをさらに備え、
前記制御部は、前記バランス用のジャックからの前記バランス用のプラグの抜去を検出した場合、スタンバイ状態とするため、前記第１出力ポート、及び、前記第２出力ポートの電位をハイとした後、前記電源部をシャットダウンし、前記第１出力ポート、及び、前記第２出力ポートの電位をローとすることを特徴とする請求項６に記載の音楽再生装置。
【請求項８】
前記制御部は、スタンバイ状態からアンバランス出力とする場合、前記第１出力ポート、及び、前記第２出力ポートの電位をハイとした後、前記電源部を起動し、前記第１出力ポートの電位をローとすることを特徴とする請求項４〜７のいずれか１項に記載の音楽再生装置。
【請求項９】
前記制御部は、スタンバイ状態からバランス出力とする場合、前記第１出力ポート、及び、前記第２出力ポートの電位をハイとした後、前記電源部を起動し、前記第１出力ポート、及び、前記第２出力ポートの電位をローとすることを特徴とする請求項４〜８のいずれか１項に記載の音楽再生装置。
【発明の詳細な説明】
【技術分野】
【０００１】
本発明は、音声信号を出力する音楽再生装置に関する。
【背景技術】
【０００２】
ヘッドホンに音声信号を出力する音楽再生装置において、ヘッドホン出力には、アンバランス、バランスと呼ばれる方式がある（例えば、特許文献１参照。）。アンバランス方式には、直径３．５ｍｍの３極端子が用いられており、「ホット」、「コールド」の２種類で音声信号を伝送する。一方、バランス方式には、直径２．５ｍｍの４極端子が用いられており、「グラウンド」、「ホット」、「コールド」の３種類で信号を伝送する。「コールド」は、「ホット」の逆相である。外来ノイズが発生した場合、「ホット」、「コールド」双方に同じ位相のノイズが乗る。「コールド」の位相を反転し、「ホット」の信号とミックス（混合）することで、外来ノイズは打ち消しあい、音声信号の振幅は、倍になる。このため、バランス方式は、ノイズに強く、音質が良い。
【０００３】
図６は、バランス出力とアンバランス出力とを有するデジタルオーディオプレーヤー（以下、「ＤＡＰ」という。）の構成を示す図である。ＤＡＰ１０１（音楽再生装置）は、ＳｏＣ（System on Chip）１０２、増幅回路１０３、１０４、ＤＣ／ＤＣコンバーター１０５、バイポーラトランジスタＱ１０１、Ｑ１０２、３．５ｍｍジャック１０６、２．５ｍｍジャック１０７を備える。
【０００４】
ＳｏＣ１０２は、ＤＡＰ１０１を構成する各部を制御する。増幅回路１０３は、ＬＲ（左右）２チャンネルのアナログ音声信号を増幅する。増幅回路１０３が増幅したＬＲ２チャンネルのアナログ音声信号は、３．５ｍｍジャック１０６、及び、２．５ｍｍジャック１０７に出力される。増幅回路１０４は、ＬＲ２チャンネルの反転アナログ音声信号を増幅する。増幅回路１０４が増幅したＬＲ２チャンネルの反転アナログ音声信号は、２．５ｍｍジャック１０７に出力される。増幅回路１０３、１０４は、制御ポートの電位がローである場合に、シャットダウンする。また、増幅回路１０３、１０４は、制御ポートの電位がハイである場合に、動作する。
【０００５】
バイポーラトランジスタＱ１０１、Ｑ１０２は、ｎｐｎ型のバイポーラトランジスタである。バイポーラトランジスタＱ１０１のベースは、抵抗Ｒ１０３を介して、ＳｏＣ１０２の出力ポートに接続されている。バイポーラトランジスタＱ１０１のコレクタには、抵抗Ｒ１０１を介して、３．３Ｖの電源電圧が供給される。バイポーラトランジスタＱ１０１のエミッタは、基準電位に接続されている。バイポーラトランジスタＱ１０２のベースは、抵抗Ｒ１０４を介して、ＳｏＣ１０２の出力ポートに接続されている。バイポーラトランジスタＱ１０２のコレクタには、抵抗Ｒ１０２を介して、３．３Ｖの電源電圧が供給される。バイポーラトランジスタＱ１０２のエミッタは、基準電位に接続されている。増幅回路１０３の制御ポートは、バイポーラトランジスタＱ１０１のコレクタと、抵抗Ｒ１０１と、の間に接続されている。増幅回路１０４の制御ポートは、バイポーラトランジスタＱ１０２のコレクタと、抵抗Ｒ１０２と、の間に接続されている。
【０００６】
ＤＣ／ＤＣコンバーター１０５は、電圧を降圧する。ＤＣ／ＤＣコンバーター１０５は、降圧した電源電圧を増幅回路１０３、１０４に供給する。
【０００７】
ここで、ＳｏＣ１０２は、１．８Ｖの電源電圧で動作している。このため、ＳｏＣ１０２は、制御のために、電位を１．８Ｖにすることしかできない。また、増幅回路１０３、１０４のシャットダウン制御を行うには、３．３Ｖレベルのロジックが必要となる。従って、ＳｏＣ１０２から直接、増幅回路１０３、１０４のシャットダウン制御を行うことができない。そこで、電圧変換のために、バイポーラトランジスタＱ１０１、Ｑ１０２が設けられている。ＳｏＣ１０２は、増幅回路１０３、１０４を動作させる場合、出力ポートの電位をローとする。この場合、バイポーラトランジスタＱ１０１、Ｑ１０２は、オフの状態であるため、増幅回路１０３、１０４の制御ポートの電位は、ハイである。従って、増幅回路１０３、１０４は、動作する。また、ＳｏＣ１０２は、増幅回路１０３、１０４をシャットダウンする場合、出力ポートの電位をハイとする。この場合、バイポーラトランジスタＱ１０１、Ｑ１０２は、オンの状態であるため、増幅回路１０３、１０４の制御ポートの電位は、ローである。従って、増幅回路１０３、１０４は、シャットダウンする。
【０００８】
図７は、アンバランス出力からスタンバイ状態とする場合の論理を示す図である。ＳｏＣ１０２は、出力ポートＰＯＳ＿ＡＭＰ＿ＳＤをローからハイとする。従って、増幅回路１０３は、シャットダウンする。次に、ＳｏＣ１０２は、ＤＣ／ＤＣコンバーター１０５をシャットダウンする（ＰＷＲ＿ＥＮ：ロー）。なお、増幅回路１０３のシャットダウンは、ポジティブ側のＤ／Ａコンバーター（以下、「ＤＡＣ」という。）のスタンバイ後に行われる。
【０００９】
図８は、バランス出力からスタンバイ状態となる場合の論理を示す図である。ＳｏＣ１０２は、出力ポートＰＯＳ＿ＡＭＰ＿ＳＤ、ＮＥＧ＿ＡＭＰ＿ＳＤをローからハイとする。従って、増幅回路１０３、１０４は、シャットダウンする。次に、ＳｏＣ１０２は、ＤＣ／ＤＣコンバーター１０５をシャットダウンする（ＰＷＲ＿ＥＮ：ロー）。なお、増幅回路１０３、１０４のシャットダウンは、ポジティブ側及びネガティブ側のＤ／Ａコンバーター（以下、「ＤＡＣ」という。）のスタンバイ後に行われる。
【先行技術文献】
【特許文献】
【００１０】
【特許文献１】特開２０１３−００５２９１号公報
【発明の概要】
【発明が解決しようとする課題】
【００１１】
上述したように、増幅回路１０３、１０４をシャットダウンするために、ＳｏＣ１０２は、出力ポートの電位をハイにする必要がある。このため、スタンバイ後に、増幅回路１０３、１０４の制御のために、電流が消費されているという問題がある。
【００１２】
本発明の目的は、スタンバイ後の消費電流を削減することである。
【課題を解決するための手段】
【００１３】
第１の発明の音楽再生装置は、制御ポートの電位がローである場合に、シャットダウンし、前記制御ポートの電位がハイである場合に動作する、音声信号を増幅する増幅部と、増幅部に電源電圧を供給する電源部と、制御部と、コレクタに、抵抗を介して、電源電圧が供給され、ベースが、前記制御部の出力ポートに接続され、エミッタが、基準電位に接続された、バイポーラトランジスタと、を備え、前記増幅部の前記制御ポートは、前記コレクタと前記抵抗との間に接続され、前記制御部は、スタンバイ状態とする場合、前記出力ポートの電位をハイとした後、前記電源部をシャットダウンし、前記出力ポートの電位をローとすることを特徴とする。
【００１４】
本発明では、制御部は、スタンバイ状態とする場合、出力ポートの電位をハイとする。これにより、バイポーラトランジスタがオンの状態となるため、増幅部の制御ポートの電位がローとなり、増幅部は、シャットダウンする。次に、制御部は、電源部をシャットダウンする。これにより、電源部から増幅部へ電源電圧が供給されないため、増幅部は、制御ポートの論理にかかわらず、シャットダウンの状態となる。そして、制御部は、出力ポートの電位をローとする。これにより、スタンバイ後に、増幅部の制御のために、電流が消費されなくなる。このように、本発明によれば、スタンバイ後の消費電流を削減することができる。
【００１５】
第２の発明の音楽再生装置は、第１の発明の音楽再生装置において、プラグが挿入されるジャックをさらに備え、前記制御部は、前記ジャックからの前記プラグの抜去を検出した場合、スタンバイ状態とするため、前記出力ポートの電位をハイとした後、前記電源部をシャットダウンし、前記出力ポートの電位をローとすることを特徴とする。
【００１６】
第３の発明の音楽再生装置は、第１又は第２の発明の音楽再生装置において、前記制御部は、スタンバイ状態から復帰する場合、前記出力ポートの電位をハイとした後、前記電源部を起動し、前記出力ポートの電位をローとすることを特徴とする。
【００１７】
本発明では、制御部は、スタンバイ状態から復帰する場合、出力ポートの電位をハイとした後、電源部を起動し、出力ポートの電位をローとする。これにより、スタンバイ状態から復帰する際に、増幅部に電源電圧が供給されても、増幅部が即座に起動せず、増幅部がシャットダウンしている状態から起動する。
【００１８】
第４の発明の音楽再生装置は、第１制御ポートの電位がローである場合に、シャットダウンし、前記第１制御ポートの電位がハイである場合に、動作する、左右２チャンネルの音声信号を増幅する第１増幅部と、第２制御ポートの電位がローである場合に、シャットダウンし、前記第２制御ポートの電位がハイである場合に、動作する、左右２チャンネルの反転音声信号を増幅する第２増幅部と、前記第１増幅部、及び、前記第２増幅部に電源電圧を供給する電源部と、コレクタに、第１抵抗を介して、電源電圧が供給され、ベースが、前記制御部の第１出力ポートに接続され、エミッタが、基準電位に接続された、第１バイポーラトランジスタと、コレクタに、第２抵抗を介して、電源電圧が供給され、ベースが、前記制御部の第２出力ポートに接続され、エミッタが、基準電位に接続された、第２バイポーラトランジスタと、を備え、前記第１制御ポートは、前記第１バイポーラトランジスタの前記コレクタと前記第１抵抗との間に接続され、前記第２制御ポートは、前記第２バイポーラトランジスタの前記コレクタと前記第２抵抗との間に接続され、前記制御部は、アンバランス出力の場合、前記第１出力ポートをローとし、前記第２出力ポートの電位をハイとし、アンバランス出力からスタンバイ状態とする場合、前記第１出力ポートをハイとした後、前記電源部をシャットダウンし、前記第１出力ポート、及び、前記第２出力ポートの電位をローとすることを特徴とする。
【００１９】
本発明では、制御部は、アンバランス出力からスタンバイ状態とする場合、第１出力ポートの電位をハイとする。これにより、第１バイポーラトランジスタがオンの状態となるため、第１増幅部の制御ポートの電位がローとなり、第１増幅部は、シャットダウンする。次に、制御部は、電源部をシャットダウンする。これにより、電源部から第１増幅部及び第２増幅部へ電源電圧が供給されないため、第１増幅部及び第２増幅部は、制御ポートの論理にかかわらず、シャットダウンする。そして、制御部は、第１出力ポート、及び、第２出力ポートの電位をローとする。これにより、スタンバイ後に、第１増幅部及び第２増幅部の制御のために、電流が消費されなくなる。このように、本発明によれば、スタンバイ後の消費電流を削減することができる。
【００２０】
第５の発明の音楽再生装置は、第４の発明の音楽再生装置において、アンバランス用のプラグが挿入されるアンバランス用のジャックをさらに備え、前記制御部は、前記アンバランス用のジャックからの前記アンバランス用のプラグの抜去を検出した場合、スタンバイ状態とするため、前記第１出力ポートの電位をハイとした後、前記電源部をシャットダウンし、前記第１出力ポート、及び、前記第２出力ポートの電位をローとすることを特徴とする。
【００２１】
第６の発明の音楽再生装置は、第４又は第５の発明の音楽再生装置において、前記制御部は、バランス出力の場合、前記第１出力ポート、及び、前記第２出力ポートの電位をローとし、バランス出力からスタンバイ状態とする場合、前記第１出力ポート、及び、前記第２出力ポートの電位をハイとした後、前記電源部をシャットダウンし、前記第１出力ポート、及び、前記第２出力ポートの電位をローとすることを特徴とする。
【００２２】
本発明では、制御部は、バランス出力からスタンバイ状態とする場合、第１出力ポート、及び、第２出力ポートの電位をハイとする。これにより、第１バイポーラトランジスタ、及び、第２バイポーラトランジスタがオンの状態となるため、第１増幅部及び第２増幅部の制御ポートの電位がローとなり、第１増幅部及び第２増幅部は、シャットダウンする。次に、制御部は、電源部をシャットダウンする。これにより、電源部から第１増幅部及び第２増幅部へ電源電圧が供給されないため、第１増幅部及び第２増幅部は、制御ポートの論理にかかわらず、シャットダウンする。そして、制御部は、第１出力ポート、及び、第２出力ポートの電位をローとする。これにより、スタンバイ後に、第１増幅部及び第２増幅部の制御のために、電流が消費されなくなる。このように、本発明によれば、スタンバイ後の消費電流を削減することができる。
【００２３】
第７の発明の音楽再生装置は、第６の発明の音楽再生装置において、バランス用のプラグが挿入されるバランス用のジャックをさらに備え、前記制御部は、前記バランス用のジャックからの前記バランス用のプラグの抜去を検出した場合、スタンバイ状態とするため、前記第１出力ポート、及び、前記第２出力ポートの電位をハイとした後、前記電源部をシャットダウンし、前記第１出力ポート、及び、前記第２出力ポートの電位をローとすることを特徴とする。
【００２４】
第８の発明の音楽再生装置は、第４〜第７のいずれかの発明の音楽再生装置において、前記制御部は、スタンバイ状態からアンバランス出力とする場合、前記第１出力ポート、及び、前記第２出力ポートの電位をハイとした後、前記電源部を起動し、前記第１出力ポートの電位をローとすることを特徴とする。
【００２５】
本発明では、制御部は、スタンバイ状態からアンバランス出力とする場合、第１出力ポート、及び、第２出力ポートの電位をハイとした後、電源部を起動し、第１出力ポートの電位をローとする。これにより、スタンバイ状態からアンバランス出力となる際に、第１増幅部に電源電圧が供給されても、第１増幅部が即座に起動せず、第１増幅部がシャットダウンしている状態から、起動する。
【００２６】
第９の発明の音楽再生装置は、第４〜第８のいずれかの発明の音楽再生装置において、前記制御部は、スタンバイ状態からバランス出力とする場合、前記第１出力ポート、及び、前記第２出力ポートの電位をハイとした後、前記電源部を起動し、前記第１出力ポート、及び、前記第２出力ポートの電位をローとすることを特徴とする。
【００２７】
本発明では、制御部は、スタンバイ状態からバランス出力とする場合、第１出力ポート、及び、第２出力ポートの電位をハイとした後、電源部を起動し、第１出力ポート、及び、第２出力ポートの電位をローとする。これにより、スタンバイ状態からバランス出力となる際に、第１増幅部及び第２増幅部に電源電圧が供給されても、第１増幅部及び第２増幅部が即座に起動せず、第１増幅部及び第２増幅部がシャットダウンしている状態から、起動する。
【発明の効果】
【００２８】
本発明によれば、スタンバイ後の消費電流を削減することができる。
【図面の簡単な説明】
【００２９】
【図１】本発明の実施形態に係るデジタルオーディオプレーヤーの構成を示す図である。
【図２】アンバランス出力からスタンバイ状態とする場合の論理を示す図である。
【図３】バランス出力からスタンバイ状態とする場合の論理を示す図である。
【図４】スタンバイ状態からアンバランス出力とする場合の論理を示す図である。
【図５】スタンバイ状態からバランス出力とする場合の論理を示す図である。
【図６】デジタルオーディオプレーヤーの構成を示す図である。
【図７】アンバランス出力からスタンバイ状態とする場合の論理を示す図である。
【図８】バランス出力からスタンバイ状態とする場合の論理を示す図である。
【発明を実施するための形態】
【００３０】
以下、本発明の実施形態について説明する。図１は、本発明の実施形態に係るデジタルオーディオプレーヤー（以下、「ＤＡＰ」という。）の構成を示す図である。ＤＡＰ１（音楽再生装置）は、バランス出力とアンバランス出力とを有する。図１に示すように、ＤＡＰ１は、ＳｏＣ（System on Chip）２、増幅回路３、４、ＤＣ／ＤＣコンバーター５、バイポーラトランジスタＱ１、Ｑ２、３．５ｍｍジャック６、２．５ｍｍジャック７を備える。
【００３１】
ＳｏＣ２（制御部）は、ＤＡＰ１を構成する各部を制御する。増幅回路３（増幅部、第１増幅部）は、ＬＲ（左右）２チャンネルのアナログ音声信号を増幅する。増幅回路３が増幅したＬＲ２チャンネルのアナログ音声信号は、３．５ｍｍジャック６、及び、２．５ｍｍジャック７に出力される。増幅回路４（増幅部、第２増幅部）は、ＬＲ２チャンネルの反転アナログ音声信号を増幅する。増幅回路４が増幅したＬＲ２チャンネルの反転アナログ音声信号は、２．５ｍｍジャック７に出力される。増幅回路３、４は、制御ポートの電位がローである場合に、シャットダウンする。また、増幅回路３、４は、制御ポートの電位がハイである場合に、動作する。
【００３２】
バイポーラトランジスタＱ１、Ｑ２は、ｎｐｎ型のバイポーラトランジスタである。バイポーラトランジスタＱ１（第１バイポーラトランジスタ）のベースは、抵抗Ｒ３を介して、ＳｏＣ２の出力ポートに接続されている。バイポーラトランジスタＱ１のコレクタには、抵抗Ｒ１（第１抵抗）を介して、３．３Ｖの電源電圧が供給される。バイポーラトランジスタＱ１のエミッタは、基準電位に接続されている。バイポーラトランジスタＱ２（第２バイポーラトランジスタ）のベースは、抵抗Ｒ４を介して、ＳｏＣ２の出力ポートに接続されている。バイポーラトランジスタＱ２のコレクタには、抵抗Ｒ２を介して、３．３Ｖの電源電圧が供給される。バイポーラトランジスタＱ２のエミッタは、基準電位に接続されている。増幅回路３の制御ポートは、バイポーラトランジスタＱ１のコレクタと、抵抗Ｒ１と、の間に接続されている。増幅回路４の制御ポートは、バイポーラトランジスタＱ２のコレクタと、抵抗Ｒ２と、の間に接続されている。
【００３３】
ＤＣ／ＤＣコンバーター５（電源部）は、電圧を降圧する。ＤＣ／ＤＣコンバーター５は、降圧した電源電圧を増幅回路３、４に供給する。３．５ｍｍジャック６は、アンバランス用のプラグが挿入されるアンバランス用のジャックである。２．５ｍｍジャック７は、バランス用のプラグが挿入されるバランス用のジャックである。ＳｏＣ２は、３．５ｍｍジャック６、及び、２．５ｍｍジャック７へのプラグの挿入、３．５ｍｍジャック６、及び、２．５ｍｍジャック７からのプラグの抜去を検出する。
【００３４】
ここで、ＳｏＣ２は、１．８Ｖの電源電圧で動作している。このため、ＳｏＣ２は、制御のために、電位を１．８Ｖにすることしかできない。また、増幅回路３、４のシャットダウン制御を行うには、３．３Ｖレベルのロジックが必要となる。従って、ＳｏＣ２から直接、増幅回路３、４のシャットダウン制御を行うことができない。そこで、電圧変換のために、バイポーラトランジスタＱ１、Ｑ２が設けられている。ＳｏＣ２は、増幅回路３、４を動作させる場合、出力ポートの電位をローとする。この場合、バイポーラトランジスタＱ１、Ｑ２は、オフの状態であるため、増幅回路３、４の制御ポートの電位は、ハイである。従って、増幅回路３、４は、動作する。また、ＳｏＣ２は、増幅回路１０３、１０４をシャットダウンする場合、出力ポートの電位をハイとする。この場合、バイポーラトランジスタＱ１、Ｑ２は、オンの状態であるため、増幅回路３、４の制御ポートの電位は、ローである。従って、増幅回路３、４は、シャットダウンする。
【００３５】
図２は、アンバランス出力からスタンバイ状態とする場合の論理を示す図である。ＳｏＣ２は、３．５ｍｍジャック６からのアンバランス用のプラグの抜去を検出した場合、ＤＡＰ１をスタンバイ状態とする。ＳｏＣ２は、アンバランス出力の場合、出力ポートＰＯＳ＿ＡＭＰ＿ＳＤの電位をローとしている。これにより、ポジティブ側の増幅回路３は、動作している。また、ＳｏＣ２は、出力ポートＮＥＧ＿ＡＭＰ＿ＳＤの電位をハイとしている。これにより、ネガティブ側の増幅回路４は、シャットダウンしている。ＳｏＣ２は、スタンバイ状態とする場合、出力ポートＰＯＳ＿ＡＭＰ＿ＳＤの電位をハイとする。これにより、ポジティブ側の増幅回路３は、シャットダウンする。次に、ＳｏＣ２は、ＤＣ／ＤＣコンバーター５をシャットダウンする（ＰＷＲ＿ＥＮ：ロー）。これにより、ＤＣ／ＤＣコンバーター５から増幅回路３、４に電源電圧が供給されないため、増幅回路３、４は、制御ポートの論理にかかわらず、シャットダウンの状態となる。そして、ＳｏＣ２は、ＤＣ／ＤＣコンバーター５をシャットダウンしてから６０ｍｓ経過後、出力ポートＰＯＳ＿ＡＭＰ＿ＳＤ、ＮＥＧ＿ＡＭＰ＿ＳＤの電位をローとする。これにより、スタンバイ後に、増幅回路３、４の制御のために、電流が消費されなくなる。このように、本実施形態によれば、スタンバイ後の消費電流を削減することができる。
【００３６】
図３は、バランス出力からスタンバイ状態とする場合の論理を示す図である。ＳｏＣ２は、２．５ｍｍジャック７からのバランス用のプラグの抜去を検出した場合、ＤＡＰ１をスタンバイ状態とする。ＳｏＣ２は、バランス出力の場合、出力ポートＰＯＳ＿ＡＭＰ＿ＳＤ、ＮＥＧ＿ＡＭＰ＿ＳＤの電位をローとしている。これにより、ポジティブ側の増幅回路３、及び、ネガティブ側の増幅回路４は、動作している。ＳｏＣ２は、スタンバイ状態とする場合、出力ポートＰＯＳ＿ＡＭＰ＿ＳＤ、ＮＥＧ＿ＡＭＰ＿ＳＤの電位をハイとする。これにより、ポジティブ側の増幅回路３、及び、ネガティブ側の増幅回路４は、シャットダウンする。次に、ＳｏＣ２は、ＤＣ／ＤＣコンバーター５をシャットダウンする（ＰＷＲ＿ＥＮ：ロー）。これにより、ＤＣ／ＤＣコンバーター５から増幅回路３、４に電源電圧が供給されないため、増幅回路３、４は、制御ポートの論理にかかわらず、シャットダウンの状態となる。そして、ＳｏＣ２は、ＤＣ／ＤＣコンバーター５をシャットダウンしてから６０ｍｓ経過後、出力ポートＰＯＳ＿ＡＭＰ＿ＳＤ、ＮＥＧ＿ＡＭＰ＿ＳＤの電位をローとする。これにより、スタンバイ後に、増幅回路３、４の制御のために、電流が消費されなくなる。このように、本実施形態によれば、スタンバイ後の消費電流を削減することができる
【００３７】
図４は、スタンバイ状態からアンバランス出力とする場合の論理を示す図である。ＳｏＣ２は、スタンバイ状態の場合、出力ポートＰＯＳ＿ＡＭＰ＿ＳＤ、ＮＥＧ＿ＡＭＰ＿ＳＤの電位をローとしている。ＳｏＣ２は、アンバランス出力とする場合、出力ポートＰＯＳ＿ＡＭＰ＿ＳＤ、ＮＥＧ＿ＡＭＰ＿ＳＤの電位をハイとする。ＳｏＣ２は、出力ポートＰＯＳ＿ＡＭＰ＿ＳＤ、ＮＥＧ＿ＡＭＰ＿ＳＤの電位をハイとしてから１ｍｓ経過後、ＤＣ／ＤＣコンバーター５を起動する（ＰＷＲ＿ＥＮ：ハイ）。ここで、ＳｏＣ２の出力ポートＰＯＳ＿ＡＭＰ＿ＳＤ、ＮＥＧ＿ＡＭＰ＿ＳＤの電位は、ハイであるため、増幅回路３、４は、シャットダウンしたままである。ＳｏＣ２は、ＤＣ／ＤＣコンバーター５を起動してから６ｍｓ経過後、出力ポートＰＯＳ＿ＡＭＰ＿ＳＤの電位をローとする。これにより、増幅回路３が動作する。このように、本実施形態では、スタンバイ状態からアンバランス出力とする際に、増幅回路３に電源電圧が供給されても、増幅回路３が即座に起動せず、増幅回路３がシャットダウンしている状態から起動する。
【００３８】
図５は、スタンバイ状態からバランス出力とする場合の論理を示す図である。ＳｏＣ２は、スタンバイ状態の場合、出力ポートＰＯＳ＿ＡＭＰ＿ＳＤ、ＮＥＧ＿ＡＭＰ＿ＳＤの電位ローとしている。ＳｏＣ２は、バランス出力とする場合、出力ポートＰＯＳ＿ＡＭＰ＿ＳＤ、ＮＥＧ＿ＡＭＰ＿ＳＤの電位をハイとする。ＳｏＣ２は、出力ポートＰＯＳ＿ＡＭＰ＿ＳＤ、ＮＥＧ＿ＡＭＰ＿ＳＤの電位をハイとしてから１ｍｓ経過後、ＤＣ／ＤＣコンバーター５を起動する（ＰＷＲ＿ＥＮ：ハイ）。ここで、ＳｏＣ２の出力ポートＰＯＳ＿ＡＭＰ＿ＳＤ、ＮＥＧ＿ＡＭＰ＿ＳＤの電位は、ハイであるため、増幅回路３、４は、シャットダウンしたままである。ＳｏＣ２は、ＤＣ／ＤＣコンバーター５を起動してから６ｍｓ経過後、出力ポートＰＯＳ＿ＡＭＰ＿ＳＤ、ＮＥＧ＿ＡＭＰ＿ＳＤの電位をローとする。これにより、増幅回路３、４が動作する。このように、本実施形態では、スタンバイ状態からバランス出力とする際に、増幅回路３、４に電源電圧が供給されても、増幅回路３、４が即座に起動せず、増幅回路３、４がシャットダウンしている状態から起動する。
【００３９】
本実施形態によれば、スタンバイ後も、ＳｏＣ２の出力ポートの電位をハイとしていた場合と比べて、消費電流が１．３ｍＡ削減され、スタンバイ時に全体の５％、消費電流が削減される。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、ＤＡＰ１は、アンバランス出力とバランス出力とを有している。これに限らず、ＤＡＰ１は、バランス出力を有していなくてもよい。この場合、増幅回路４、２．５ｍｍジャック７、バイポーラトランジスタＱ２、抵抗Ｒ２、Ｒ４は不要である。
【００４２】
上述の実施形態においては、音楽再生装置として、ＤＡＰを例示した。これに限らず、スマートフォン、タブレットＰＣ、ＵＳＢ  ＤＡＣ、ヘッドホンアンプ等であってもよい。
【産業上の利用可能性】
【００４３】
本発明は、音声信号を出力する音楽再生装置に好適に採用され得る。
【符号の説明】
【００４４】
１  ＤＡＰ（音楽再生装置）
２  ＳｏＣ（制御部）
３  増幅回路（増幅部、第１増幅部）
４  増幅回路（増幅部、第２増幅部）
５  ＤＣ／ＤＣコンバーター（電源部）
６  ３．５ｍｍジャック
７  ２．５ｍｍジャック
Ｑ１  バイポーラトランジスタ（第１バイポーラトランジスタ）
Ｑ２  バイポーラトランジスタ（第２バイポーラトランジスタ）
Ｒ１  抵抗（第１抵抗）
Ｒ２  抵抗（第２抵抗）
【図１】
2018113629.tif 000003
【図２】
2018113629.tif 000004
【図３】
2018113629.tif 000005
【図４】
2018113629.tif 000006
【図５】
2018113629.tif 000007
【図６】
2018113629.tif 000008
【図７】
2018113629.tif 000009
【図８】
2018113629.tif 000010